(57)【要約】【課題】壁面に対して安定良くしっかりと固定できるようにしたコーナー材を提供する。【解決手段】中央の長尺状の蝶番部２の両側に長手方向に沿って板体３，３が一体的に形成され合成樹脂材料で作られた長尺状のコーナー材１であって、前記蝶番部２は細幅で幅方向中央に長手方向に沿って折目４が形成されており、蝶番部２の両側に連設された前記板体３，３は前記折目４によってＬ型に折曲自在となっており、前記板体３，３の蝶番部２に近接して沿う位置の板部には長手方向に沿って等間隔おきに孔５が形成されるとともに、板体３，３の外側の縁部に近接して長手方向に沿って等間隔おきに孔６が形成されており、両孔５，６の間の板部には孔が形成されておらず、両孔５，６の間の孔が形成されていない板部の裏面に両面粘着テープ７がコーナー材１の長手方向に沿って装着されている。【選択図】    図１
2006342605.tif 000002
【特許請求の範囲】
【請求項１】
中央の長尺状の蝶番部の両側に長手方向に沿って板体が一体的に形成され合成樹脂材料で作られた長尺状のコーナー材であって、前記蝶番部は細幅で幅方向中央に長手方向に沿って折目が形成されており、蝶番部の両側に連設された前記板体は前記折目によってＬ型に折曲自在となっており、前記板体の蝶番部に近接して沿う位置の板部には長手方向に沿って等間隔おきに孔が形成されるとともに、板体の外側の縁部に近接して長手方向に沿って等間隔おきに孔が形成されており、両孔の間の板部には孔が形成されていないことを特徴とするコーナー材。
【請求項２】
両孔の間の孔が形成されていない板部の裏面に両面粘着テープがコーナー材の長手方向に沿って装着されていることを特徴とする請求項１記載のコーナー材。
【発明の詳細な説明】
【技術分野】
【０００１】
本発明は、建物の壁面をクロス材を貼り付けるなどして仕上げる前に壁面の出隅部や入隅部に取り付けられ、コーナー部を平坦に仕上げるための合成樹脂からなるコーナー材に関するものである。
【背景技術】
【０００２】
従来のこの種コーナー材としては、例えば特許文献１に開示されているように、厚さが１ミリメートル以下で幅が２ミリメートルよりも大きい合成樹脂製蝶番部の幅方向中央部に長手方向に沿って折目を形成するとともに、前記蝶番部の左右両側に合成樹脂製の平板を一体に連結し、該平板に複数の孔を穿設してなるコーナー材が知られている。平板に形成された複数の孔は特許文献１の中で記述されているように平板の外側の縁部付近に長手方向に沿って形成されており、蝶番部に近接して沿う板部には孔が形成されていない。
【特許文献１】実開平６−３５４７５号公報
【発明の開示】
【発明が解決しようとする課題】
【０００３】
上記特許文献１に開示されているコーナー材の構成では、平板の外側の縁部付近に長手方向に沿って孔が形成されているものの、蝶番部に近接して沿う板部には孔が形成されておらず、このコーナー材を石膏ボードなどて形成された壁面のコーナー部に当てがい前記孔の部分でパテ材によりコーナー材を壁面に固定するものであるが、壁面のコーナー部においては石膏ボードの切粉が多く付着しており、蝶番部に近接して沿う孔の無い板部は壁面に付着する切粉によって壁面から浮いた状態となって壁面に対するコーナー材の安定性が悪いという課題があった。
【０００４】
本発明の目的は、このような課題を解決するものであり、壁面に対して安定良くしっかりと固定できるようにしたコーナー材を提供することにある。
【課題を解決するための手段】
【０００５】
本発明の請求項１に記載のコーナー材は、中央の長尺状の蝶番部の両側に長手方向に沿って板体が一体的に形成され合成樹脂材料で作られた長尺状のコーナー材であって、前記蝶番部は細幅で幅方向中央に長手方向に沿って折目が形成されており、蝶番部の両側に連設された前記板体は前記折目によってＬ型に折曲自在となっており、前記板体の蝶番部に近接して沿う位置の板部には長手方向に沿って等間隔おきに孔が形成されるとともに、板体の外側の縁部に近接して長手方向に沿って等間隔おきに孔が形成されており、両孔の間の板部には孔が形成されていないことを特徴とする。
【０００６】
請求項２に記載のコーナー材は、両孔の間の孔が形成されていない板部の裏面に両面粘着テープがコーナー材の長手方向に沿って装着されていることを特徴とする。
【発明の効果】
【０００７】
以上のように、本発明のコーナー材は、このコーナー材を例えば石膏ボードで形成された壁面の出隅部や入隅部に取り付けるに際し、壁面のコーナーに沿うようにコーナー材の板体を前記蝶番部を境にほぼ直角に折り曲げ、壁面の出隅部や入隅部にコーナー材を当てがい、パテ材により固定するのであるが、その固定は板体の蝶番部に近接して沿う位置の板部に形成された孔の部分で行なうことができ、壁面の出隅部や入隅部において石膏ボードの切粉が多く付着している部分であってもパテ材によりコーナー材を確実に固定することができる。また、両孔の間の孔が形成されていない板部の裏面にコーナー材の長手方向に沿って装着された両面粘着テープは石膏ボードの切粉が多く付着している石膏ボードの厚みが見える端面から外れた石膏ボードの切粉の殆どない位置で石膏ボードの表面に接着されることになり、両面粘着テープによりコーナー材は壁面の出隅部や入隅部に安定良くしっかりと貼り付けられることになる。さらに、孔が存在する板部の裏面に両面粘着テープが装着されている場合、コーナー材の裏面に両面粘着テープを装着した後、孔をパンチングにより形成する際パンチング屑に両面粘着テープの屑も同時に付着することになり再利用が困難であるという問題があるのに対し、両面粘着テープは両孔の間の孔が形成されていない板部の裏面に装着されているので、パンチング屑には両面粘着テープの屑が付着することがなく、パンチング屑を再利用することが可能となる。
【発明を実施するための最良の形態】
【０００８】
以下、本発明の一実施の形態を、図１〜図３に基づき詳細に説明する。
図において、１は中央の長尺状の蝶番部２の両側に長手方向に沿って板体３，３が一体的に形成された全体がスチレン系の合成樹脂材料を主成分とする合成樹脂材料で作られた長尺状のコーナー材である。
【０００９】
前記蝶番部２は細幅で幅方向中央に長手方向に沿って折目４が形成されており、蝶番部２の両側に連設された前記板体３，３は前記折目４によってＬ型に折曲自在となっている。また、この蝶番部２は使用する材料を選択することによって角度保持機能を備えさせることも可能である。
【００１０】
そして、板体３，３の蝶番部２に近接して沿う位置の板部には長手方向に沿って２列状態で等間隔おきに孔５が形成されるとともに、板体３，３の外側の縁部に近接して長手方向に沿って１列状態で等間隔おきに孔６が形成されており、孔５と孔６の間の板部には孔が形成されていない。
【００１１】
ところで、蝶番部２とこの蝶番部２の両側に連設された前記板体３，３とからなるコーナー材１の全幅は約６０ミリメートルで、具体的には蝶番部２の幅は１．８ミリメートル、各板体３の幅は２９ミリメートル、孔が形成されていない板部の幅は１０．２ミリメートルである。そして、コーナー材１の厚みは０．７ミリメートルである。本実施の形態のコーナー材１においては孔が形成されていない板部の裏面に１０ミリメートル幅の両面粘着テープ７がコーナー材１の長手方向に沿って装着されており、この両面粘着テープ７の装着部は各板体３の幅方向におけるほぼ中心から外側位置である。
【００１２】
このように作られたコーナー材１を例えば石膏ボードで形成された壁面の出隅部７（あるいは入隅部）に取り付けるに際し、壁面のコーナーに沿うようにコーナー材１の板体３，３を前記蝶番部２を境にほぼ直角に折り曲げ、壁面の出隅部８にコーナー材１を当てがい、コーナー材１の裏面を前記両面粘着テープ７を介して壁面の出隅部８に貼り付ける。壁面の出隅部８において石膏ボードの切粉が多く付着している範囲は石膏ボードの厚みが見える端面に集中し、両面粘着テープ７による貼着部は石膏ボードの厚みが見える端面から外れた石膏ボードの切粉の殆どない位置であり、両面粘着テープ７によりコーナー材１は壁面の出隅部８に安定良くしっかりと貼り付けられる。その後、前記孔５，６の位置でパテ材を押さえるように塗り付け、両面粘着テープ７以外の部分でも板体３，３を出隅部８に固定する。
【００１３】
以上で壁面の出隅部８に対してコーナー材１は固定されるのであるが、壁面の出隅部８に直接パテ材を塗布する場合は前記孔が形成されていない板部の裏面に両面粘着テープを装着せずに壁面の出隅部８に塗布したパテ材を利用してコーナー材１を装着すれば良い。
【図面の簡単な説明】
【００１４】
【図１】本発明の一実施の形態におけるコーナー材の正面図である。
【図２】図１のＡ−Ａ断面図である。
【図３】同コーナー材を壁面の出隅部に装着した状態を示す断面斜視図である。
【符号の説明】
【００１５】
１        コーナー材
２        蝶番部
３        板体
４        折目
５，６    孔
７        両面粘着テープ
８        出隅部
【図１】
2006342605.tif 000003
【図２】
2006342605.tif 000004
【図３】
2006342605.tif 000005